(57)【要約】  本発明は、湿潤環境において悪臭を打ち消す際に２種以上のククルビットウリルを含む組成物の使用を提供する。２種以上のククルビットウリルは、ＣＢ［５］、ＣＢ［６］、ＣＢ［７］およびＣＢ［８］から選択される。ＣＢ［５］、ＣＢ［６］、ＣＢ［７］およびＣＢ［８］から選択される、２種以上のククルビットウリルの混合物を含む組成物の適用を含む、湿潤環境における悪臭を打ち消す方法も提供される。【特許請求の範囲】
【請求項１】
湿潤環境において悪臭を打ち消すための、ＣＢ［５］、ＣＢ［６］、ＣＢ［７］およびＣＢ［８］から選択される、２種以上のククルビットウリルの混合物を含む組成物の使用。
【請求項２】
ＣＢ［５］、ＣＢ［６］、ＣＢ［７］およびＣＢ［８］から選択される、２種以上のククルビットウリルの混合物を含む組成物の適用を含む、湿潤環境において悪臭を打ち消す方法。
【請求項３】
前記湿潤環境が、少なくとも４０％、少なくとも５０％、少なくとも６０％、少なくとも７０％、少なくとも８０％または少なくとも９０％の相対湿度を有する、請求項１または２に記載の使用または方法。
【請求項４】
前記湿潤環境が、相対湿度１００％を有する、請求項３に記載の使用または方法。
【請求項５】
前記悪臭が、複数の悪臭成分を含む悪臭複合体である、請求項１から４のいずれか一項に記載の使用または方法。
【請求項６】
前記組成物が、ＣＢ［６］、ＣＢ［７］およびＣＢ［８］を含む、請求項１から５のいずれか一項に記載の使用または方法。
【請求項７】
前記組成物が、ＣＢ［５］、ＣＢ［６］、ＣＢ［７］およびＣＢ［８］を含む、請求項１から６のいずれか一項に記載の使用または方法。
【請求項８】
前記組成物が、１つまたは複数のＣＢ［ｎ］をさらに含み、ｎが、４または９〜２０から独立して選択される整数である、請求項１から７のいずれか一項に記載の使用または方法。
【請求項９】
ＣＢ［５］の濃度が、前記組成物中のククルビットウリルの総重量に対して、約０．１から約９９重量％、より詳細には約０．５から約７５重量％、より詳細には約１から約５０重量％、より詳細には約２から約３０重量％、より詳細には約５から約２５重量％、より詳細には約１０から約２０重量％である、請求項１から５または７から８のいずれか一項に記載の使用または方法。
【請求項１０】
ＣＢ［６］の濃度が、前記組成物中のククルビットウリルの総重量に対して、約０．１から約９９重量％、より詳細には約１から約７５重量％、より詳細には約５から約６０重量％、より詳細には約２０から約５５重量％、より詳細には約３５から約５５重量％である、請求項１から９のいずれか一項に記載の使用または方法。
【請求項１１】
ＣＢ［７］の濃度が、前記組成物中のククルビットウリルの総重量に対して、約０．１から９９重量％、より詳細には約５から約７５重量％、より詳細には約１０から約６０重量％、より詳細には約２０重量％から約４５重量％である、請求項１から１０のいずれか一項に記載の組成物。
【請求項１２】
ＣＢ［７］の濃度が、前記組成物中のククルビットウリルの総重量に対して、４５重量％未満である、請求項１から１０のいずれか一項に記載の使用または方法。
【請求項１３】
ＣＢ［８］の濃度が、前記組成物中のククルビットウリルの総重量に対して、約０．１から９９重量％、より詳細には約０．５から約７５重量％、より詳細には約１から約３０重量％、より詳細には約５から約２５重量％、より詳細には約１０から約２０重量％である、請求項１から１２のいずれか一項に記載の使用または方法。
【請求項１４】
前記組成物中のＣＢ［５］、ＣＢ［６］、ＣＢ［７］およびＣＢ［８］の総濃度が、前記組成物中のククルビットウリルの総重量に対して、７５重量％超、より詳細には約９０重量％超、より詳細には約９９重量％超である、請求項７に記載の使用または方法。
【請求項１５】
前記組成物が、前記組成物中のククルビットウリルの総重量に対して、ＣＢ［５］を１２から１７重量％の間、ＣＢ［６］を４５から５０重量％の間、ＣＢ［７］を２２から２７重量％の間、ＣＢ［８］を１２から１７重量％の間、ならびにＣＢ［４］、ＣＢ［９］および／またはより高級なククルビットウリルを１重量％未満含む、請求項７に記載の使用または方法。
【請求項１６】
錯体が、少なくとも１００Ｍ−１の結合定数を有する、請求項１から１５のいずれか一項に記載の使用または方法。
【請求項１７】
錯体が、少なくとも１０００Ｍ−１の結合定数を有する、請求項１から１６のいずれか一項に記載の使用または方法。
【請求項１８】
窒素含有分子、イオウ含有分子または酸素含有分子の悪臭を打ち消すために使用される、請求項１から１７のいずれか一項に記載の使用または方法。
【請求項１９】
窒素含有およびイオウ含有分子、例えば、アリルアミン、メチルアミン、エチルアミン、シクロブチルアミン（シクロブタンアミン、尿）、シクロペンチルアミン（シクロペンタンアミン）、シクロヘキシルアミン（シクロヘキサンアミン）、シクロヘプチルアミン（シクロブタンアミン）、イソプロピルアミン、ブチルアミン、ジブチルアミン（Ｎ−ブチル−１−ブタンアミン）、ジメチルエタノールアミン（２−（ジメチルアミノ）エタノール）、メチルエタノールアミン（２−（メチルアミノ）エタノール）、ジエチルエタノールアミン（２−（ジエチルアミノ）エタノール）、ジエチルアミン（Ｎ−メチルエタンアミン、魚臭）、ジプロピルアミン（Ｎ−プロピル−１−プロパンアミン）、ジイソプロピルアミン（Ｎ−イソプロピル−２−プロパンアミン）、ジメチルアセトアミド（Ｎ，Ｎ−ジメチルアセトアミド）、エチルメチルアミン（Ｎ−メチルエタンアミン）、エチルプロピルアミン（Ｎ−エチルプロパンアミド）、トリメチルアミン（魚臭）、トリエチルアミン（魚臭）、エチレンジアミン（１，２−エタンジアミン、カビ臭、アンモニア臭）、プロピレンジアミン（１，３−プロパンジアミン）、テトラメチレンジアミン（１，４−ブタンジアミン、プトレシン、不快な）、エチレンイミン（アジリジン、アンモニア臭）、モルホリン（魚臭）、エチルモルホリン（４−エチルモルホリン、酸味臭）、ピロリジン（精液）、メチルエチルピリジン（２−エチル−３−メチルピリジン）、ピリジン（焦げた、吐き気を覚える）、ビニルピリジン（４−ビニルピリジン、胸の悪くなる）、スカトール（３−メチルインドール、糞便）、インドール（糞便）、カダベリン（ペンタン−１，５−ジアミン、腐敗臭）、硫化水素（腐った卵）、二硫化アリル（３−（アリルジスルファニル）−１−プロペン、ニンニク）、イソチオシアン酸エチル（イソチオシアネートエタン、刺激臭、マスタード、ニンニク）、アリルイソチオシアネート（３−イソチオシアネートプロパ−１−エン、イオウ臭）、アリルメルカプタン（２−プロペン−１−チオール、ニンニク、イオウ臭）、アリルスルフィド（３−（アリルスルファニル）−１−プロペン、イオウ臭）、ジアリルスルフィド（３−（アリルスルファニル）−１−プロペン、イオウ臭）、ジメチルジスルフィド（（メチルスルファニル）エタン、不快な、ニンニク）、ジメチルトリスルフィド（ジメチルトリスルファン、不快な）、ジエチルスルフィド（（エチルスルファニル）エタン、イオウ臭）、ブチルスルフィド（１−（ブチルスルファニル）ブタン、ニンニク、スミレ）、ジエチルトリスルフィド（ジエチルトリスルファン、不快な、ニンニク）、エチルメチルジスルフィド（（メチルスルファニル）エタン、イオウ臭）、フェニルスルフィド（１，１’−スルファンジイルジベンゼン、イオウ臭）、エチルメルカプタン（１−エタンチオール、イオウ臭）、アミルメルカプタン（１−ペンタンチオール）、イソアミルメルカプタン（３−メチルブタン−１−チオール、イオウ臭、タマネギ）、ブチルメルカプタン（１−ブタンチオール、スカンク様）、イソブチルメルカプタン（２−メチルプロパン−１−チオール、イオウ臭、マスタード）、ドデシルメルカプタン（１−ドデカンチオール）、二硫化炭素（メタンジチオン、気分の悪くなる、甘い）、トリチオ炭酸ジメチル（カルボノトリチオ酸ジメチル）、チオフェノールメルカプタンと、酸素含有五員環分子、例えば、ソトロン、ノル−ソトロン、飽和ならびに不飽和アルキルおよびヒドロキシアルキルカルボン酸、例えば、酢酸、プロピオン酸、酪酸、イソ吉草酸、ｎ−吉草酸、２−メチル酪酸、３−メチル−２−ヘキセン酸、および３−メチル−３−ヒドロキシヘキサン酸から選択される、１つまたは複数の悪臭を打ち消すための請求項１から１８のいずれか一項に記載の使用または方法。
【請求項２０】
前記ククルビットウリルの１つまたは複数が、芳香分子と錯形成しており、前記ククルビットウリルが悪臭成分と錯形成すると、芳香が放出される、請求項１から１９のいずれか一項に記載の使用または方法。
【請求項２１】
湿潤環境における悪臭を打ち消すための、ＣＢ［５］、ＣＢ［６］、ＣＢ［７］およびＣＢ［８］から選択される、２種以上のククルビットウリルの混合物を含んだ組成物を含む製品の使用。
【請求項２２】
前記製品が、ランドリーケア、ホームケアまたはパーソナルケア用である、請求項２１に記載の使用。
【請求項２３】
ランドリーケア、ホームケアまたはパーソナルケアの前記製品が、粉末、顆粒、錠剤または一回分単位、分散物、エマルション、マイクロエマルションもしくは溶液、含水アルコール製品、ワイプもしくはスポンジ、エアロゾルもしくは液体ディスペンサー、クリーム、バルサム、艶出し剤またはロウの形態である、請求項２２に記載の使用。
【請求項２４】
ランドリーケア、ホームケアまたはパーソナルケアの前記製品が、洗剤、洗浄用組成物、シャンプー、柔軟剤、柔軟剤シート、コンディショナー、リフレッシャー、エアフレッシュナー、脱臭用組成物、体臭防止剤、制汗剤、化粧品、高級芳香料、ボディミスト、ロウソク、硬質表面用クリーナー、清掃用ワイプもしくはモップ、石鹸、スタイリングジェル、吸湿剤、空気濾過デバイス、仕上げ用製品、またはおむつもしくは生理用品である、請求項２２または２３に記載の使用。
【発明の詳細な説明】
【技術分野】
【０００１】
本発明は、悪臭を打ち消す際のククルビットウリルを含む組成物の使用に関する。より詳細には、本発明は、悪臭を打ち消す際の或るサイズ分布を有するククルビットウリルの混合物を含む組成物の使用に関する。本発明は、湿潤条件下、複雑な悪臭を打ち消す際のかかる組成物の適用にもまた関する。
【背景技術】
【０００２】
悪臭は、しばしば、多様な化学的性質および臭いを有する、異なる分子の複雑な混合物である。悪臭の臭いは、刺激性のこともあり、かかる分子のわずかな量ですらも、消費者へ不快な印象を与え得る。したがって、多くの戦略が、悪臭を打ち消すために提案されてきた。予防方法は、殺生物剤、制生物剤を適用することまたは細菌が増殖する部位の微気候条件を制御することのいずれかによって、悪臭の発生の原因となる細菌を殺すこともしくはその増加を阻害することを含む。これらの方法は、例えば、ヒトまたはペットの身体の脇の下またはその他の部分で使用される。除去方法は、悪臭に結合し中和する、化学的に反応性の分子を使用することを含み、酸化（燃やすこと）およびイオン化は、除去方法に属する。これら全ての方法の欠点は、これらの方法が、化学的にまたは生物学的に不活性でなく、環境的に中立でない作用物質を含むことである。特に、殺生物剤および反応性化学物質の使用は、公衆衛生上の懸念を引き起こす。イオン化および燃焼の副生物も、有毒であり、望ましくない恐れがある。
【０００３】
代替方法として、香料および香料類は、消費者による悪臭の知覚が低減するように、悪臭をマスクするまたはそれと組み合わせるために使用できる。しかし、複雑な悪臭は、関与する臭いが多種多様であるために、かかる感覚的方法を使用することによって緩和することが、困難である。
【０００４】
悪臭抑制方法は、吸収剤および吸着剤の使用を含む。これらの材料は、環境に優しく、ほとんどの場合、顕著な匂いがない。悪臭分子は、これらの材料の細孔中に閉じ込められ、したがって、蒸気圧は、押し下げられる。しかし、これらの材料は、一般的に、悪臭に対して選択的ではなく、望ましい芳香分子もまた結合し得る。他方、湿潤条件、例えば、相対湿度５０％超において存在するような水蒸気は、空気中に次に再放出される悪臭に、取って代わり得る。
【０００５】
ゲスト分子は、それぞれの分子が、或る分布の細孔の代わりに、良好に画定された空洞を有することを特徴とする、特別なクラスの吸収剤である。
ホスト−ゲスト錯体は、香料類の分野において、しばらくの時間、悪臭を打ち消すために使用されてきた。例えば、ＵＳ５９４２２１７は、悪臭を中和するために、より一般的には環状オリゴ糖と呼ばれる、シクロデキストリンの水溶液の使用を記載している。シクロデキストリン空洞における悪臭分子の吸収は、悪臭の効率的な緩和をもたらす。悪臭結合過程は、乾燥の間に起こり、低分子量ポリオールは、特に、悪臭分子が、小さすぎて、安定した包接錯体を形成できない場合に、組成物に加えられて、シクロデキストリン包接錯体の形成を強化することができる。
【０００６】
悪臭と香料両方の知覚に対するシクロデキストリンの作用は、系における水分の活性に大きく依存する。これは、シクロデキストリン空洞における水、芳香および悪臭の包接に関わる錯体の平衡を反映する。それゆえに、見かけ上のホスト−ゲスト結合定数は、系中の水の濃度に応じて、芳香と悪臭の両方について、変わり得る。かかる本質的な非平衡効果の予測がしにくいので、香料製造者は、たびたび困難に遭遇する。芳香および悪臭に関する、シクロデキストリン結合および放出の貧弱な選択性は、欠点である。この効果は、望ましい匂いの制御放出に関しては、有益となり得るが、放出されたゲスト分子が悪臭である場合、非常に不満足なことになる。
【０００７】
シクロデキストリンの別の欠点は、低い水分レベルでまたは水分活性の減少で粘着性になる、これらの炭水化物から誘導された材料の傾向である。これは、例えば、皮膚上の望ましくない「べたつき」感を引き起こし得る。最後に、炭水化物水溶液に関しては通常のことであるが、シクロデキストリン水溶液は、有意な量の保存料を使用し、微生物の侵入に抗して保存されなければならない。
【０００８】
シクロデキストリンに関連する欠点を考慮して、これらの問題を克服する、代替のホスト−ゲスト系が、望ましい。ＵＳ６８６９４６６において、ガスまたは揮発性分子をククルビットウリルに結合させて、包接錯体を形成する方法、ならびに結合されたガスまたは揮発性化合物の少なくともいくつかを放出するためのステップが記載されている。悪臭のある化合物を閉じ込めることが、適用の例として言及されている。ホスト−ゲスト錯体の形成は、両方が乾燥状態で、例えば、固体表面上に吸着もしくは支持されたククルビットウリルホスト分子によって、または液体、例えば水中で溶解もしくは分散されて、起こると記載されている。
【０００９】
ＷＯ２０１４０７７６４２は、脱臭に使用するためのククルビット［７］ウリルを含む組成物を記載し、匂いが、ククルビットウリルで錯形成される何らかの証拠を提供している。
【発明の概要】
【発明が解決しようとする課題】
【００１０】
ククルビットウリルホスト−ゲスト錯体は、シクロデキストリン錯体に関連する欠点の多くを克服するが、湿潤系において改善された臭気防止をもたらすククルビットウリルホスト−ゲスト錯体に対する必要性がある。
【課題を解決するための手段】
【００１１】
本発明は、全体として、複雑な悪臭を打ち消す際、湿潤条件下、ＣＢ［５］、ＣＢ［６］、ＣＢ［７］およびＣＢ［８］から選択される、少なくとも２種の異なるククルビットウリルの混合物を含む組成物の使用を提供する。
【００１２】
一態様において、湿潤環境において悪臭を打ち消すための、ＣＢ［５］、ＣＢ［６］、ＣＢ［７］およびＣＢ［８］から選択される、２種以上の異なるサイズのククルビットウリルの混合物を含む組成物の使用が、提供される。
【００１３】
第二の態様において、ＣＢ［５］、ＣＢ［６］、ＣＢ［７］およびＣＢ［８］から選択される、２種以上の異なるサイズのククルビットウリルの混合物を含む組成物を適用することによって、湿潤環境において悪臭を打ち消す方法が、提供される。
【００１４】
一実施形態において、組成物は、ＣＢ［６］およびＣＢ［７］を含む。別の実施形態において、組成物は、ＣＢ［６］、ＣＢ［７］およびＣＢ［８］を含む。別の実施形態において、組成物は、ＣＢ［５］、ＣＢ［６］、ＣＢ［７］およびＣＢ［８］を含む。
【００１５】
ククルビットウリルは、ＣＢ［５］、ＣＢ［６］、ＣＢ［７］およびＣＢ［８］から選択される、少なくとも２種の異なるサイズのククルビットウリルの混合物として、組成物中に存在する。ククルビットウリルが、ククルビット［ｎ］ウリルと呼ばれる場合、組成物は、異なるサイズのククルビット［ｎ］ウリルの混合物を含み、ｎは、４から２０の整数であり、混合物は、ＣＢ［５］、ＣＢ［６］、ＣＢ［７］およびＣＢ［８］からなる群から選択される、少なくとも２種の異なるククルビットウリルを含む。
【００１６】
一実施形態において、湿潤条件は、相対湿度、約３５％超を有する。
本発明のこれらおよびその他の態様ならびに実施形態は、以下にさらに詳細に記載される。
【発明を実施するための形態】
【００１７】
本発明者らは、２種以上の悪臭成分が、低分子量を有する、揮発性である、または特に刺激臭を有している場合でさえも、或るサイズ分布を有するククルビットウリル化合物の混合物が、これらの２種以上の悪臭成分からなる悪臭を抑制するために特に効率的であると分かった。特に、悪臭抑制の作用は、湿潤条件下、実施され得る。
【００１８】
用語「湿潤（な）」および「湿った」または「高湿度（の）」は、全体を通して、互換的に使用される。用語「湿潤（な）」、「湿った」および「高湿度（の）」に関連して、用語「条件」、「環境」および「系」はまた、全体を通して、互換的に使用される。
【００１９】
本発明に関して、高湿度条件とも呼ばれる、湿潤条件は、ククルビットウリルが使用される場所、例えば、ククルビットウリル組成物が適用される場所の空気が、外気温下、例えば約２５℃で、相対湿度４０％超、さらにより詳細には約５０％超、さらにより詳細には約６０％超、さらにより詳細には約７０％超、さらにより詳細には約８０％超、さらにより詳細には約９０％超を有することを意味する。約は、±１％または±１℃を意味する。
【００２０】
相対湿度は、空気が所与の温度０℃から１００℃の間で保持できる湿気の最大量の体積パーセンテージとして表される。より正確には、相対湿度は、ククルビットウリル化合物の適用の条件下での有効蒸気分圧対同じ温度での「飽和」ともまた呼ばれる平衡での水の蒸気分圧の比として定義される。
【００２１】
本発明が関係する典型的な湿潤環境は、例えば、浴室、シャワー室、便器、洗濯機、食洗機、台所水回り、台所換気フード、靴の内部、脇の下、義歯、哺乳類の体腔、哺乳類の皮膚、ゴミ袋、便器、地下室、スポーツウエア、湿ったカーペット、ペットのトイレ砂、汚水排水管、雨樋システム等である。
【００２２】
一実施形態において、環境は、外気温下で相対湿度４０％を有する。
別の実施形態において、環境は、外気温下で相対湿度８８％を有する。
特定の実施形態において、環境は、外気温下で相対湿度１００％を有する。
【００２３】
一実施形態において、ククルビットウリルの混合物は、ＣＢ［５］、ＣＢ［６］、ＣＢ［７］およびＣＢ［８］のククルビットウリルを含み、ＣＢ［５］は、小さい悪臭分子と錯体を形成できる。
ククルビットウリル
本発明は、悪臭分子との錯体を形成するククルビットウリルの使用を提供する。
【００２４】
ククルビットウリルは、キャビタンド族の一員であり、一般的なククルビットウリルの構造は、メチレン架橋によって連結されたグリコールウリルのサブユニットの環状配列を基本とする。
【００２５】
ククルビットウリル化合物の調製および精製は、当技術分野において、詳しく記載されている。例えば、Ｌａｇｏｎａら、ｒｅｖｉｅｗ  ｔｈｅ  ｓｙｎｔｈｅｓｉｓ  ａｎｄ  ｐｒｏｐｅｒｔｉｅｓ  ｏｆ  ｃｕｃｕｒｂｉｔｕｒｉｌ  ｃｏｍｐｏｕｎｄｓ，ｉｎｃｌｕｄｉｎｇ  ｄｅｒｉｖａｔｉｖｅｓ，ａｎａｌｏｇｕｅｓ  ａｎｄ  ｃｏｎｇｅｎｅｒ  ｗｉｔｈｉｎ  ｔｈｅ  ｃｕｃｕｒｂｉｔｕｒｉｌ  ｆａｍｉｌｙ。
【００２６】
例えば、ククルビット［８］ウリル（ＣＢ［８］、ＣＡＳ２５９８８６−５１−６）は、８個の繰り返しグリコールウリル単位および内部空洞容積４７９Ａ３を有する、樽形状のコンテナ分子（ｃｏｎｔａｉｎｅｒ  ｍｏｌｅｃｕｌｅ）である（下記の構造を参照）。ＣＢ［８］は、標準技術を使用して容易に合成され、市販されている（例えば、Ｓｉｇｍａ−Ａｌｄｒｉｃｈ、ＭＯ  ＵＳＡ）。
【００２７】
【化１】
2019508200.tif 000002
【００２８】
ククルビットウリルは、２種以上のＣＢ［ｎ］の混合物として存在し、混合物は、ＣＢ［５］、ＣＢ［６］、ＣＢ［７］およびＣＢ［８］から選択される、少なくとも２種の異なるククルビットウリルを含み、ｎは、４から２０の整数である。
【００２９】
その他のククルビットウリルが、ＣＢ［５］、ＣＢ［６］、ＣＢ［７］およびＣＢ［８］に加えて、組成物中に存在してもよい。例えば、組成物は、ｎが、４または９から２０の整数である、ＣＢ［ｎ］のククルビットウリルをさらに含んでよい（例えば、ＣＢ［９］、ＣＢ［１０］、ＣＢ［１１］等）。例えば、組成物は、ＣＢ［４］もしくはＣＢ［９］、またはＣＢ［４］およびＣＢ［９］をさらに含んでよい。
【００３０】
ＣＢ［５］が、ククルビットウリル混合物中に存在する場合、ＣＢ［５］の濃度は、組成物中のククルビットウリルの総重量に対して、約０．１から約９９重量％、より詳細には約０．５から約７５重量％、より詳細には約１から約５０重量％、より詳細には約２から約３０重量％、より詳細には約５から約２５重量％、より詳細には約１０から約２０重量％でもよい。
【００３１】
ＣＢ［６］が、ククルビットウリル混合物中に存在する場合、ＣＢ［６］の濃度は、組成物中のククルビットウリルの総重量に対して、約０．１から約９９重量％、より詳細には約１から約７５重量％、より詳細には約５から約６０重量％、より詳細には約２０から約５５重量％、より詳細には約３５から約５５重量％でもよい。
【００３２】
ＣＢ［７］が、ククルビットウリル混合物中に存在する場合、ＣＢ［７］の濃度は、組成物中のククルビットウリルの総重量に対して、約０．１から９９重量％、より詳細には約５から約７５重量％、より詳細には約１０から約６０重量％、より詳細には約２０重量％から約４５重量％でもよい。一実施形態において、ＣＢ［７］の濃度は、組成物中のククルビットウリルの総重量に対して、４５重量％未満である。
【００３３】
ＣＢ［８］が、ククルビットウリル混合物中に存在する場合、ＣＢ［８］の濃度は、組成物中のククルビットウリルの総重量に対して、約０．１から９９重量％、より詳細には約０．５から約７５重量％、より詳細には約１から約３０重量％、より詳細には約５から約２５重量％、より詳細には約１０から約２０重量％でもよい。
【００３４】
ＣＢ［５］、ＣＢ［６］、ＣＢ［７］およびＣＢ［８］から選択される、少なくとも２種の異なるククルビットウリルの総濃度は、組成物中のククルビットウリルの総重量に対して、７５重量％超、より詳細には約９０重量％超、より詳細には約９９重量％超でもよい。ククルビットウリル混合物の残りの成分は、ＣＢ［４］、ＣＢ［９］および／またはより高級な(higher)ククルビットウリル（すなわち、ＣＢ［１０］〜ＣＢ［２０］）を、単一サイズのククルビットウリルまたはこれらのサイズの混合物のいずれかとして含有してもよい。
【００３５】
特定の実施形態において、ククルビットウリル混合物は、組成物中のククルビットウリルの総重量に対して、ＣＢ［５］を１２から１７重量％の間、ＣＢ［６］を４５から５０重量％の間、ＣＢ［７］を２２から２７重量％の間、ＣＢ［８］を１２から１７重量％の間、ならびにＣＢ［９］およびより高級なククルビットウリルを１重量％未満含む。
【００３６】
上記のククルビットウリルの重量％は、組成物中の（全てのサイズの）ククルビットウリルの総重量に対するものである。本発明の組成物を調製するための出発材料として使用されるククルビットウリル混合物、すなわち、錯体を形成していないククルビットウリルの混合物は、上記と同じ重量パーセンテージを有することになる。
【００３７】
本発明のその他の態様において、ククルビットウリル誘導体が提供され、本明細書に記載された方法において使用法を見出す。ククルビットウリルの誘導体は、１、２、３、４またはそれ以上の置換グリコールウリル単位を有する構造である。置換ククルビットウリル化合物は、下記の構造
【００３８】
【化２】
2019508200.tif 000003
【００３９】
によって表されてよく、
式中、
ｎは、４から２０の間の整数であり、
それぞれのグリコールウリル単位について、
それぞれのＸは、Ｏ、ＳまたはＮＲ３であり、
−Ｒ１および−Ｒ２は、−Ｈおよび以下の、場合によって置換されている基、−Ｒ３、−ＯＨ、−ＯＲ３、−ＣＯＯＨ、−ＣＯＯＲ３、−ＮＨ２、−ＮＨＲ３および−Ｎ（Ｒ３）２からそれぞれ独立して選択され、−Ｒ３は、Ｃ１〜２０アルキル、Ｃ６〜２０カルボアリール、およびＣ５〜２０ヘテロアリールから独立して選択される、または−Ｒ１および／もしくは−Ｒ２が−Ｎ（Ｒ３）２である場合、両方の−Ｒ３は一緒にＣ５〜７複素環を形成する、または−Ｒ１および−Ｒ２は一緒に、ウラシルフレームと共にＣ６〜８炭素環を形成するＣ４〜６アルキレンである。
【００４０】
一実施形態において、グリコールウリル単位の１つは、置換グリコールウリル単位である。したがって、−Ｒ１および−Ｒ２はそれぞれ独立して、グリコールウリル単位のｎ−１について、−Ｈである。
【００４１】
一実施形態において、ｎは、５、６、７、８、９、１０、１１または１２である。
一実施形態において、ｎは、５、６、７または８である。
一実施形態において、それぞれのＸは、Ｏである。
【００４２】
一実施形態において、それぞれのＸは、Ｓである。
一実施形態において、Ｒ１およびＲ２はそれぞれ独立して、Ｈである。
一実施形態において、それぞれの単位について、Ｒ１およびＲ２の一方は、Ｈであり、他方は、−Ｈおよび以下の場合によって置換されている基、−Ｒ３、−ＯＨ、−ＯＲ３、−ＣＯＯＨ、−ＣＯＯＲ３、−ＮＨ２、−ＮＨＲ３および−Ｎ（Ｒ３）２から独立して選択される。一実施形態において、１つの単位について、Ｒ１およびＲ２の一方は、Ｈであり、他方は、−Ｈおよび以下の場合によって置換されている基、−Ｒ３、−ＯＨ、−ＯＲ３、−ＣＯＯＨ、−ＣＯＯＲ３、−ＮＨ２、−ＮＨＲ３および−Ｎ（Ｒ３）２から独立して選択される。この実施形態において、残りのグリコールウリル単位は、Ｒ１およびＲ２が、それぞれ独立してＨであるような単位である。
【００４３】
好ましくは、−Ｒ３は、Ｃ１〜２０アルキル、最も好ましくはＣ１〜６アルキルである。Ｃ１〜２０アルキル基は、直鎖状および／または飽和でもよい。それぞれの基−Ｒ３は独立して、非置換または置換でもよい。好ましい置換基は、−Ｒ４、−ＯＨ、−ＯＲ４、−ＳＨ、−ＳＲ４、−ＣＯＯＨ、−ＣＯＯＲ４、ＮＨ２、−ＮＨＲ４および−Ｎ（Ｒ４）２から選択され、−Ｒ４は、Ｃ１〜２０アルキル、Ｃ６〜２０カルボアリール、およびＣ５〜２０ヘテロアリールから選択される。置換基は、−ＣＯＯＨおよび−ＣＯＯＲ４から独立して選択してもよい。
【００４４】
いくつかの実施形態において、−Ｒ４は、−Ｒ３と同じではない。いくつかの実施形態において、−Ｒ４は、好ましくは非置換である。
−Ｒ１および／または−Ｒ２が、−ＯＲ３、−ＮＨＲ３または−Ｎ（Ｒ３）２である場合、−Ｒ３は、好ましくはＣ１〜６アルキルである。いくつかの実施形態において、−Ｒ３は、置換基−ＯＲ４、−ＮＨＲ４または−Ｎ（Ｒ４）２で置換されている。それぞれの−Ｒ４は、Ｃ１〜６アルキルであり、それ自身、好ましくは置換されている。
【００４５】
一実施形態において、ククルビットウリル化合物ヘの言及は、その誘導体への言及である。本発明のククルビットウリルは、天然型でもよく、または溶解度、分散度、およびより全般的には、配合および取扱いを改善するために、上記の通り修飾されていてもよい。
錯体
一態様において、本発明は、或る空洞サイズ分布を有するククルビットウリルの混合物の使用を提供し、このククルビットウリルは、悪臭分子と錯体を形成し得る。
【００４６】
本明細書に記載された組成物は、ククルビットウリル混合物を含み、ククルビットウリルは、ゲスト分子を実質的に含まず、７５重量％超、より詳細には９０重量％超、さらにより詳細には９５％超のククルビットウリルが、ゲスト分子を含まないことを意味する。本発明の組成物が、悪臭分子と接触すると、ククルビットウリルは、悪臭のマスキングをもたらす、悪臭−ククルビットウリル錯体を形成する。
【００４７】
場合によっては、ククルビットウリルは、ゲスト分子を取り込み、次に、このゲスト分子は、ククルビットウリルが悪臭分子／成分と錯形成する場合、分子交換によって放出される。一実施形態において、ゲスト分子は、家庭用ケアまたはパーソナルケアにおいて使用される分子である。特に、ゲスト分子は、芳香分子である。ゲスト分子は、ククルビットウリルに物理的に結合され、ククルビットウリルが、悪臭分子と錯形成する場合、放出される。適切な芳香分子は、当業者にとって既知であり、参照により本明細書に組み込まれるＧＢ１６０２６６４．３にもまた記載されている。
【００４８】
ククルビットウリルと錯体を形成する場合、悪臭分子は、ククルビットウリル基質に物理的に結合される。全体を通して使用される、用語「物理的に結合される」、「物理的結合」および「物理的連結」は、ファンデルワールス力およびその他の種類の物理的結合による結合を含む。これに関して、水素結合もまた、物理的結合と見なされる。悪臭との強い物理的結合を確立できる系は、化学的結合に頼る系より、かなりの利点を有する。
【００４９】
特に、物理的結合は、多数の化学構造および機能を有する多数の悪臭との錯体の形成を可能にする。反応性基を有さない悪臭分子でさえも、ククルビットウリルに物理的に結合できる。
【００５０】
ククルビットウリル−悪臭錯体は、三元または二元錯体でもよい。したがって、ククルビットウリルは、その空洞内に１個または２個のゲスト悪臭分子を保持し得る。ククルビットウリルが２個の悪臭分子を保持する場合、悪臭分子は、同じでもよく、または悪臭分子は異なっていてもよい。２個の悪臭分子を取り込むことができるククルビットウリルは、単一の悪臭との安定した二元錯体を形成することもでき得る。三元ゲスト−ホスト錯体の形成は、中間の二元錯体を介して進行すると考えられる。
【００５１】
一実施形態において、ククルビットウリルは、三元錯体を形成することができる。例えば、ＣＢ［８］は、三元錯体を形成することができる。
一実施形態において、ククルビットウリルは、二元錯体を形成することができる。ＣＢ［８］も、二元錯体を形成し得る。
【００５２】
一実施形態において、ククルビットウリルは、三元および二元錯体を形成することができる。例えば、ＣＢ［８］は、ゲストの性質に応じて、三元または二元錯体を形成することができる。
【００５３】
本出願者は、悪臭を打ち消す系として仕事をするために、悪臭−ククルビットウリル錯体は、好ましくは１００Ｍ−１より大きい結合定数を有さなければならないことを確証した。一実施形態において、結合定数は、少なくとも１０００Ｍ−１である。
【００５４】
悪臭Ｍと、ｘが４から２０の整数であるククルビットウリルＣＢ［ｘ］との間の二元錯体のための結合定数は、以下の通り、質量作用のルシャトリエの原理にしたがって定義され、
Ｍ＋ＣＢ［ｘ］⇔ＭＣＢ［ｘ］
Ｋ＝［ＭＣＢ［ｘ］］／（［Ｍ］＊［ＣＢ［ｘ］］）］
角カッコは、ｍｏｌ／ｌでの種の濃度を表示する。
悪臭
用語「悪臭」は、日常生活においてしばしば遭遇し、さまざまな起源を有する、不快な匂いを指す。典型的な悪臭は、無制御の工業的な活動から、発汗および排泄などのヒトおよびペットの身体から、台所および食品加工から、たばこの煙から、ならびにカビから発散する匂いを含む。ヒトにとって最も嫌な悪臭のいくつかは、汗、糞便、尿、湿ったペット、料理の匂い、特に、ニンニク、キャベツ、魚およびタマネギ等である。悪臭は、消費者製品中、例えば、石鹸、洗剤、シャンプーおよびコンディショナー中に存在する、脂肪酸および脂肪酸誘導体からもまた、発散し得る。特に望ましくない悪臭のその他の例は、除毛クリーム（イオウ化合物）によって生成される悪臭である。これらの悪臭の全ては、特に刺激性である。
【００５５】
ククルビットウリルの混合物は、広範囲の悪臭分子を打ち消すために使用してもよい。
本発明に関して、用語「悪臭の打ち消し」または「悪臭を打ち消す（こと）」は、「悪臭の抑制」、「悪臭の緩和」または「悪臭の中和」と同等であると見なされる。その結果は、悪臭源に暴露される人による悪臭の知覚強度が有意に減少することである。匂いの強度は、ラベルドマグニチュードスケール（ＬＭＳ）を使用することによって、一般的に測定され、ＬＭＳの定義は、Ｇｒｅｅｎ  ＢＧ、Ｓｈａｆｆｅｒ  ＧＳ  ａｎｄ  Ｇｉｌｍｏｒｅ  ＭＭ  １９９３、Ｄｅｒｉｖａｔｉｏｎ  ａｎｄ  ｅｖａｌｕａｔｉｏｎ  ｏｆ  ａ  ｓｅｍａｎｔｉｃ  ｓｃａｌｅ  ｏｆ  ｏｒａｌ  ｓｅｎｓａｔｉｏｎ  ｍａｇｎｉｔｕｄｅ  ｗｉｔｈ  ａｐｐａｒｅｎｔ  ｒａｔｉｏ  ｐｒｏｐｅｒｔｉｅｓ、Ｃｈｅｍｉｃａｌ  Ｓｅｎｃｅｓ、１８（６）：６８３〜７０２に見出すことができる。匂いについて、スケールは、以下の強度属性を網羅する：ほとんど検知不可能、弱い、中程度、強い、非常に強いおよび想像可能な最大限の強さ。本発明に関して、「有意な減少」とは、悪臭の強度属性が、ククルビットウリルの適用後、弱い、またはほとんど検知不可能であることを意味する。
【００５６】
代替方法として、例えば、０（感知されない強度）〜１０（感知された最高の強度）にわたる線形スケールを使用してもよい。
匂い強度の点数は、数人のパネルによって、好ましくは得られる。
【００５７】
本発明において、打ち消される悪臭は、複数の悪臭成分を含む、複雑な悪臭である。
一実施形態において、複雑な悪臭は、多種多様な化学的機能を有する悪臭成分を含む。
空洞容積８２オングストローム３を有するＣＢ［５］は、小さなガスの悪臭、例えば、アセチレン、硫化水素および二硫化炭素を、好ましくは結合する。
【００５８】
Ｏ−、Ｎ−およびＳ−ヘテロ原子を含む、より大きい悪臭分子は、より高級なククルビットウリル（例えば、ＣＢ［７］およびＣＢ［８］）に、好ましくは結合する。
悪臭は、以下から選択されるが、これらに限定されない。
【００５９】
−窒素含有およびイオウ含有分子、例えば、アリルアミン、メチルアミン、エチルアミン、シクロブチルアミン（シクロブタンアミン、尿）、シクロペンチルアミン（シクロペンタンアミン）、シクロヘキシルアミン（シクロヘキサンアミン）、シクロヘプチルアミン（シクロブタンアミン）、イソプロピルアミン、ブチルアミン、ジブチルアミン（Ｎ−ブチル−１−ブタンアミン）、ジメチルエタノールアミン（２−（ジメチルアミノ）エタノール）、メチルエタノールアミン（２−（メチルアミノ）エタノール）、ジエチルエタノールアミン（２−（ジエチルアミノ）エタノール）、ジエチルアミン（Ｎ−メチルエタンアミン、魚臭）、ジプロピルアミン（Ｎ−プロピル−１−プロパンアミン）、ジイソプロピルアミン（Ｎ−イソプロピル−２−プロパンアミン）、ジメチルアセトアミド（Ｎ，Ｎ−ジメチルアセトアミド）、エチルメチルアミン（Ｎ−メチルエタンアミン）、エチルプロピルアミン（Ｎ−エチルプロパンアミド）、トリメチルアミン（魚臭）、トリエチルアミン（魚臭）、エチレンジアミン（１，２−エタンジアミン、カビ臭、アンモニア臭）、プロピレンジアミン（１，３−プロパンジアミン）、テトラメチレンジアミン（１，４−ブタンジアミン、プトレシン、不快な）、エチレンイミン（アジリジン、アンモニア臭）、モルホリン（魚臭）、エチルモルホリン（４−エチルモルホリン、酸味臭）、ピロリジン（精液）、メチルエチルピリジン（２−エチル−３−メチルピリジン）、ピリジン（焦げた、吐き気を覚える）、ビニルピリジン（４−ビニルピリジン、胸の悪くなる）、スカトール（３−メチルインドール、糞便）、インドール（糞便）、カダベリン（ペンタン−１，５−ジアミン、腐敗臭）、硫化水素（腐った卵）、二硫化アリル（３−（アリルジスルファニル）−１−プロペン、ニンニク）、イソチオシアン酸エチル（イソチオシアネートエタン（ｉｓｏｔｈｉｏｃｙａｎａｔｏｅｔｈａｎｅ）、刺激臭、マスタード、ニンニク）、アリルイソチオシアネート（３−イソチオシアネートプロパ−１−エン、イオウ臭）、アリルメルカプタン（２−プロペン−１−チオール、ニンニク、イオウ臭）、アリルスルフィド（３−（アリルスルファニル）−１−プロペン、イオウ臭）、ジアリルスルフィド（３−（アリルスルファニル）−１−プロペン、イオウ臭）、ジメチルジスルフィド（（メチルスルファニル）エタン、不快な、ニンニク）、ジメチルトリスルフィド（ジメチルトリスルファン、不快な）、ジエチルスルフィド（（エチルスルファニル）エタン、イオウ臭）、ブチルスルフィド（１−（ブチルスルファニル）ブタン、ニンニク、スミレ）、ジエチルトリスルフィド（ジエチルトリスルファン、不快な、ニンニク）、エチルメチルジスルフィド（（メチルスルファニル）エタン、イオウ臭）、フェニルスルフィド（１，１’−スルファンジイルジベンゼン、イオウ臭）、エチルメルカプタン（１−エタンチオール、イオウ臭）、アミルメルカプタン（１−ペンタンチオール）、イソアミルメルカプタン（３−メチルブタン−１−チオール、イオウ臭、タマネギ）、ブチルメルカプタン（１−ブタンチオール、スカンク様）、イソブチルメルカプタン（２−メチルプロパン−１−チオール、イオウ臭、マスタード）、ドデシルメルカプタン（１−ドデカンチオール）、二硫化炭素（メタンジチオン、気分の悪くなる、甘い）、トリチオ炭酸ジメチル（カルボノトリチオ酸ジメチル（Ｄｉｍｅｔｈｙｌ  ｃａｒｂｏｎｏｔｒｉｔｈｉｏａｔｅ））、チオフェノールメルカプタン。
【００６０】
−酸素含有五員環分子、例えば、ソトロン、ノル−ソトロン（ｎｏｒ−Ｓｏｔｏｌｏｎ）。
−飽和ならびに不飽和アルキルおよびヒドロキシアルキルカルボン酸、例えば、酢酸、プロピオン酸、酪酸、イソ吉草酸、ｎ−吉草酸、２−メチル酪酸、３−メチル−２−ヘキセン酸、および３−メチル−３−ヒドロキシヘキサン酸。
悪臭を打ち消す組成物
異なるサイズのククルビットウリルの混合物に加えて、本発明において使用される組成物は、当業者にとって既知の１つまたは複数の添加物もまた、含んでよい。
【００６１】
一実施形態において、本発明において使用される組成物は、ククルビットウリルに加えて、悪臭を打ち消すのに有用な、１つまたは複数の分子、分子の混合物またはポリマーをさらに含む。悪臭を打ち消すのに有用な、適切な分子、分子の混合物またはポリマーは、当業者にとって既知であり、その他のホスト分子を含む。例えば、シクロデキストリン、カリックスアレーンおよびクラウンエーテルを含む、キャビタンド族のその他のメンバーは、ククルビットウリルと組み合わせて使用できる。分子または化合物のさらなる適切なクラスは、木炭およびリシノール酸亜鉛を含む。
【００６２】
一実施形態において、ククルビットウリルの混合物、および任意の追加の悪臭を打ち消す分子は、保存料、染料、顔料、捕捉剤および抗酸化剤から選択される、１つまたは複数の添加物をさらに含む。
【００６３】
本発明における使用のためのククルビットウリルをベースとする組成物は、多数の形態および形式で提供できる。特定の実施形態において、ククルビットウリルの混合物は、粉末形態で、溶液もしくは液体中の分散物として、超臨界流体でもしくは圧縮ガスとして、基材、例えば、布地、不織布パッド、吸着剤等に吸着させて、またはスプレー形態で提供してもよい。
【００６４】
ククルビットウリルの混合物は、製品、例えば、ランドリーケア、ホームケアまたはパーソナルケア用の消費者製品に加えてもよい。これらの消費者製品は、粉末または顆粒、錠剤または一回分単位、分散物、エマルション、マイクロ−エマルションまたは溶液、含水アルコール製品、ワイプまたはスポンジ、エアロゾルまたは液体ディスペンサー、クリーム、バルサム、艶出し剤、ロウ等の形態でもよい。本組成物を、これらの異なる形態に組み込む方法は、当業者によく知られている。
【００６５】
消費者製品は、洗剤、洗浄用組成物、シャンプー、柔軟剤、柔軟剤シート、コンディショナー、リフレッシャー、エアフレッシュナー、脱臭用組成物、体臭防止剤、制汗剤、化粧品、高級芳香料、ボディミスト、ロウソク、硬質表面用クリーナー、清掃用ワイプまたはモップ、石鹸、スタイリングジェル、吸湿剤、空気濾過デバイス、仕上げ用製品、おむつまたは生理用品等でもよい。
【００６６】
ククルビットウリル組成物は、布地へ、機能性布地へおよび布地仕上げ用製品へ、空気およびさまざまな材料、例えば、紙、木、プラスチック、石、セラミック、金属、メタルウール、ウール、繊維、フォーム、フィルター材料、吸収剤、吸着剤、プラスター、塗料、インク等へ、悪臭を打ち消す特性を与えるために使用されてもよい。
【００６７】
本明細書に記載されているククルビットウリル組成物はまた、製品に添加される前に、香油と混合されてもよい、または香油に組み込まれてもよい。
ククルビットウリル組成物が、香油に加えられる場合、生じる混合物は、当技術分野に公知の任意の方法によって、例えば、噴霧乾燥、噴霧造粒、マトリックス粒子形成、コアシェルカプセル化等によって、マイクロカプセル化してもよい。
【００６８】
本発明の或る態様および実施形態を、ここに例として説明する。
【実施例】
【００６９】
実験および結果
以下の実施例は、全て、２０±２℃で実行された。
実施例１
ＣＢ［ｎ］を使用して、悪臭を打ち消すこと
ククルビットウリル／悪臭混合物を、ＣＢ［ｎ］と呼ばれる、ククルビットウリルの混合物で、悪臭を錯形成することによって調製した。ＣＢ［ｎ］混合物の組成は、ＣＢ［５］が１５重量％、ＣＢ［６］が４８重量％、ＣＢ［７］が２５重量％およびＣＢ［８］が１２重量％であった。４つのＣＢ［ｎ］／悪臭混合物の放出特性を、匂い特性決定試験を使用して、調査した。１０人の訓練を受けたパネルが、好みおよび匂い強度（１から９のスケールを使用する）に関して、かかる組成物の匂いの特性を明らかにした。悪臭溶液０．４ｍＬをＣＢ［ｎ］粉末２．５ｇが入ったガラスバイアルへ加えることによって、ＣＢ［ｎ］／悪臭混合物を、配合した。次に、バイアルを、匂い評価のために、空の５００ｍＬフラスコに入れた。次に、それぞれのＣＢ［ｎ］／悪臭組成物の匂いを、対応する、ＣＢ［ｎ］のない悪臭と比較した。悪臭の組成物は以下の通りである。魚（アンモニア、トリエタノールアミンおよびジメチルアミン、エタノール溶液中にそれぞれ１．５重量％）、体臭（エタノール中にイソ吉草酸０．０５重量％）、ニンニク（エタノール中にニンニク油０．２５重量％）、シュリンプペースト（エタノール中にタイシュリンプペースト０．５重量％）および浴室（％による米国政府規格浴室悪臭）。試験を、湿度４０％で行った。結果を、表１で報告する。
【００７０】
表［１］は、悪臭を打ち消すＣＢ［ｎ］の能力を示す。
【００７１】
【表１】
2019508200.tif 000004
【００７２】
結果：ＣＢ［ｎ］の存在下、全ての悪臭が、ＣＢ［ｎ］によって打ち消されたことが、表から明らかである。
実施例２
ヒドロキシプロピル−β−シクロデキストリン（ＣＤ）と比較した、ＣＢ［ｎ］を使用して、魚および浴室の悪臭を打ち消すこと
魚および浴室の悪臭を捕獲するＣＢ［ｎ］およびＣＤの能力を、匂い特性決定試験を使用して、湿度４０％の条件で分析した。９人の訓練を受けたパネルが、好みおよび匂い強度（１から９のスケールを使用する）に関して、かかる組成物の匂いの特性を明らかにした。悪臭とＣＢ［ｎ］およびＣＤとの混合物を、以下の通り、配合した。悪臭溶液０．４ｍＬを、ＣＢ［ｎ］またはＣＤ粉末２．５ｇが入ったガラスバイアルへ加える。次に、混合物が入ったバイアルを、匂い評価のために、空の５００ｍＬフラスコに入れた。結果を、表２で報告する。
【００７３】
表［２］は、湿度４０％の湿潤条件で、魚および浴室の悪臭を打ち消すための、ＣＤを上回る、ＣＢ［ｎ］の使用の利点を示す表である。
【００７４】
【表２】
2019508200.tif 000005
【００７５】
結果：魚の匂いおよび浴室の悪臭とのＣＢ［ｎ］の結合能力が、ヒドロキシプロピル−β−シクロデキストリンより優れていることが、表から明らかである。これは、悪臭を抑制するためのＣＢ［ｎ］のより良い性能と解釈される。
【００７６】
実施例３
ＣＢ［７］と比較した、ＣＢ［ｎ］を使用して、魚および浴室の悪臭を打ち消すこと
魚および浴室の悪臭を捕獲するＣＢ［ｎ］およびＣＢ［７］の能力を、匂い特性決定試験を使用して、湿度４０％の条件で分析した。９人の訓練を受けたパネルが、好みおよび匂い強度（１から９のスケールを使用する）に関して、かかる組成物の匂いの特性を明らかにした。混合物を、前の実施例に記載された通り、配合した。次に、バイアルを、匂い評価のために、空の５００ｍＬフラスコに入れた。結果を、表３で報告する。
【００７７】
表［３］は、魚および浴室の悪臭を打ち消すための、ＣＢ［７］を上回る、ＣＢ［ｎ］の使用の利点を示す。
【００７８】
【表３】
2019508200.tif 000006
【００７９】
結果：ＣＢ［ｎ］の結合能力が、ＣＢ［７］より優れていることが、表から明らかである。これは、両方の悪臭を抑制するためのＣＢ［ｎ］のより良い性能と解釈される。
実施例４
高湿度下、ヒドロキシプロピル−β−シクロデキストリン（ＣＤ）と比較した、ＣＢ［ｎ］を使用して、魚および浴室の悪臭を打ち消すこと
魚および浴室の悪臭を捕獲するＣＢ［ｎ］およびＣＤの能力を、実施例２および３に記載された、同じ匂い特性決定試験を使用して、湿度８８％の条件で分析した。結果を、表４で報告する。
【００８０】
表［４］は、湿度８８％の湿潤条件で、魚および浴室の悪臭を打ち消すための、ＣＤを上回る、ＣＢ［ｎ］の使用の利点を示す表である。
【００８１】
【表４】
2019508200.tif 000007
【００８２】
結果：魚の匂いおよび浴室の悪臭とのＣＢ［ｎ］の結合能力が、ヒドロキシプロピル−β−シクロデキストリンより優れていることが、表から明らかである。これは、高湿度条件下、両方の悪臭を抑制するためのＣＢ［ｎ］のより良い性能と解釈される。
【００８３】
実施例５
高湿度下、ＣＢ［７］と比較した、ＣＢ［ｎ］を使用して、魚および浴室の悪臭を打ち消すこと
魚および浴室の悪臭を捕獲するＣＢ［ｎ］およびＣＢ［７］の能力を、実施例３および４に記載された、同じ匂い特性決定試験を使用して、湿度８８％の条件で分析した。結果を、表５で報告する。
【００８４】
表［５］は、湿度８８％の湿潤条件で、魚および浴室の悪臭を打ち消すための、ＣＢ［７］を上回る、ＣＢ［ｎ］の使用の利点を示す。
【００８５】
【表５】
2019508200.tif 000008
【００８６】
結果：魚および浴室の悪臭とのＣＢ［ｎ］の結合能力が、ＣＢ［７］より優れていることが、表から明らかである。これは、高湿度条件下、両方の悪臭を抑制するためのＣＢ［ｎ］のより良い性能と解釈される。
【国際調査報告】
2019508200.tif 000009
2019508200.tif 000010
2019508200.tif 000011